(57)【要約】内視鏡または他の医療機器に用いられる空気／送水弁アセンブリが提供される。弁アセンブリは、スプールと、複数のシーリングリングを含む一体型のシーリング部材と、を含む。スプールは、射出成形されることが可能であり、シーリング部材はスプールにオーバーモールドされることが可能である。バネ、保持器、およびハウジングもまた、弁アセンブリを形成するために、含まれる。従って、空気／送水弁アセンブリは、一度の医療処置において使用されることが可能であるように、かつ、その後に費用効率の高い方法において廃棄されることが可能であるように、製作されてもよい。空気／送水弁アセンブリを製造する対応する方法もまた、提供される。
2016539695.tif 000002
【特許請求の範囲】
【請求項１】
医療機器のための弁アセンブリであって、
ハウジングと、
スプールと、
シーリング部材と、を備えており、
上記スプールは、
第１端部と、
第２端部と、
上記第１端部と上記第２端部との間において伸びる長軸方向の通路と、
上記第１端部および上記第２端部のそれぞれの近傍に位置する、第１部分および第２部分と、を有しており、
上記スプールの上記第１部分は、上記ハウジングの内部に少なくとも部分的に受容されるように構成されており、
上記スプールの上記第２部分の外面は、複数の位置決め機構を規定し、
上記シーリング部材は、
長軸方向の支持部材と、
上記支持部材から周方向に伸びる複数のシーリングリングと、を有しており、
上記シーリングリングのそれぞれは、隣接する位置決め機構間の距離と対応する、上記支持部材の長さに沿った距離で、隣接するシーリングリングと離間しており、
上記支持部材の内面は、上記スプールの上記外面と係合するように構成されており、
上記シーリングリングのそれぞれの内側の周方向の表面が、対応する位置決め機構の近傍に位置する上記スプールの上記第２部分の上記外面と密閉して係合するように、上記シーリングリングが開口を規定することを特徴とする弁アセンブリ。
【請求項２】
第１端部および第２端部を含むバネと、
上記スプールの上記第１端部によって受容されるように構成された保持器と、をさらに備えており、
上記バネは、上記スプールの上記第１部分の周囲に配置されており、
上記バネの上記第２端部は、上記ハウジングと係合するように、かつ、当該ハウジングに対して固定された状態を維持するように構成されており、
上記バネの上記第１端部は、上記保持器が上記ハウジングから離れるように付勢されるように、当該保持器と係合されていることを特徴とする請求項１に記載の弁アセンブリ。
【請求項３】
上記ハウジングは、上記バネの上記第２端部と係合するように構成された、少なくとも１つの半径方向の伸長部を規定することを特徴とする請求項２に記載の弁アセンブリ。
【請求項４】
上記スプールの上記外面の少なくとも一部分は、上記シーリング部材の上記支持部材を受容するように構成された長軸方向の溝を規定することを特徴とする請求項１に記載の弁アセンブリ。
【請求項５】
上記シーリング部材が上記スプールに係合する場合に、上記支持部材の外面が、当該スプールの上記外面に対して平坦な面を形成することを特徴とする請求項４に記載の弁アセンブリ。
【請求項６】
上記シーリング部材は、上記スプールにオーバーモールドされていることを特徴とする請求項４に記載の弁アセンブリ。
【請求項７】
上記スプールは、上記長軸方向の通路に対して実質的に垂直であり、かつ、当該長軸方向の通路と交差する横軸方向の通路を規定し、
上記横軸方向の通路は、上記長軸方向の溝を通るように規定されることを特徴とする請求項４に記載の弁アセンブリ。
【請求項８】
上記長軸方向の溝の少なくとも一部分は、少なくとも１つの位置決め機構によって規定されることを特徴とする請求項４に記載の弁アセンブリ。
【請求項９】
上記スプールは、上記長軸方向の通路に対して実質的に垂直であり、かつ、当該長軸方向の通路と交差する横軸方向の通路を規定し、
上記シーリング部材の上記支持部材は、上記スプールの上記外面において規定された、上記横軸方向の通路の開口と係合するように構成された、長軸方向に伸びるリングを規定することを特徴とする請求項１に記載の弁アセンブリ。
【請求項１０】
上記シーリング部材は、４つのシーリングリングを備えていることを特徴とする請求項１に記載の弁アセンブリ。
【請求項１１】
上記ハウジングは、内部に上記弁アセンブリが取り付けられる上記医療機器と係合するように構成された、長軸方向の伸長部を規定することを特徴とする請求項１に記載の弁アセンブリ。
【請求項１２】
医療機器のための弁アセンブリを製造する方法であって、
スプールを成形するステップと、
上記スプールの外面にシーリング部材をオーバーモールドするステップと、
上記スプールの第１部分を少なくとも部分的に受容するように構成されたハウジングを成形するステップと、
上記スプールの上記第１部分を、少なくとも部分的に上記ハウジングの内部に配置するステップと、を含んでおり、
上記スプールは、
第１端部と、
第２端部と、
上記第１端部と上記第２端部との間において伸びる長軸方向の通路と、
上記第１端部および上記第２端部のそれぞれの近傍に位置する、上記第１部分および第２部分と、を有しており、
上記スプールの上記第２部分の外面は、複数の位置決め機構を規定し、
上記シーリング部材は、
長軸方向の支持部材と、
上記支持部材から周方向に伸びる複数のシーリングリングと、を有しており、
上記シーリングリングのそれぞれは、隣接する位置決め機構間の距離と対応する、上記支持部材の長さに沿った距離で、隣接するシーリングリングと離間しており、
上記支持部材の内面は、上記スプールの上記外面と係合しており、
上記シーリングリングのそれぞれの内側の周方向の表面が、対応する位置決め機構の近傍に位置する上記スプールの上記第２部分の上記外面と密閉して係合するように、上記シーリングリングが開口を規定することを特徴とする方法。
【請求項１３】
上記スプールの上記第１部分の周囲に、第１端部および第２端部を規定するバネを配置するステップと、
上記スプールの上記第１端部によって受容されるように構成された保持器を設けるステップと、
上記バネの上記第２端部の位置が上記ハウジングに対して固定された状態を維持するように、当該バネの当該第２端部を当該ハウジングに係合させるステップと、
上記バネの上記第１端部を上記保持器に係合させるステップと、
上記保持器が上記ハウジングから離れるように付勢されるように、当該保持器を上記スプールの上記第１端部に取り付けるステップと、をさらに含んでいることを特徴とする請求項１２に記載の方法。
【請求項１４】
上記スプールの上記外面の少なくとも一部分において、長軸方向の溝を規定するステップをさらに含んでおり、
上記長軸方向の溝は、上記シーリング部材の上記支持部材を受容するように構成されていることを特徴とする請求項１２に記載の方法。
【請求項１５】
上記スプールを成形するステップは、当該スプールを形成するための第１の型を使用するステップを含んでおり、
上記シーリング部材をオーバーモールドするステップは、上記第１の型から上記スプールを取り外すステップと、当該スプールを第２の型の内部に配置するステップとを含んでいることを特徴とする請求項１４に記載の方法。
【請求項１６】
上記シーリング部材をオーバーモールドするステップは、上記第２の型において上記シーリング部材を形成するために、上記長軸方向の溝の内部にエラストマー材料を導入するステップを含んでいることを特徴とする請求項１５に記載の方法。
【請求項１７】
上記スプールの長軸に対して垂直な向きに、複数の固定板を配置するステップをさらに含んでおり、
上記板は、同心の穴を含んでおり、かつ、上記シーリングリングが形成される予定である位置と対応する位置に配置されていることを特徴とする請求項１５に記載の方法。
【請求項１８】
上記スプールを成形するステップは、上記長軸方向の通路に対して実質的に垂直であり、かつ、当該長軸方向の通路と交差する横軸方向の通路を規定するステップを含んでおり、
上記横軸方向の通路は、上記長軸方向の溝を通るように規定されることを特徴とする請求項１４に記載の方法。
【請求項１９】
上記長軸方向の溝の少なくとも一部分は、少なくとも１つの位置決め機構によって規定されることを特徴とする請求項１４に記載の方法。
【請求項２０】
上記スプールを成形するステップは、上記長軸方向の通路に対して実質的に垂直であり、かつ、当該長軸方向の通路と交差する横軸方向の通路を規定するステップを含んでおり、
上記シーリング部材をオーバーモールドするステップは、上記スプールの上記外面において規定された、上記横軸方向の通路の開口と係合する上記支持部材において、長軸方向に伸びるリングを規定するステップを含むことを特徴とする請求項１２に記載の方法。
【発明の詳細な説明】
【発明の詳細な説明】
【０００１】
［本発明の背景］
本発明は、概して、医療機器とともに用いられる空気／送水弁に関する。より特に、本発明は、内視鏡装置に用いられる使い捨て可能な弁アセンブリに関する。
【０００２】
［本発明の背景］
内視鏡は、現代の医療行為において、医師に、患者の中空器官または患者の体腔の内側を観察することを可能にするために、使用される。内視鏡を使用して、患者の症状が詳しく調べられる場合がある（例えば、吐き気、嘔吐、腹痛、嚥下障害、消化管出血などの消化器系における症状）。また、内視鏡を使用して、診断が確定される場合がある。（例えば、生体組織検査法を実行することによって）または、内視鏡を使用して、処置が施される場合がある（例えば、出血している血管を焼灼すること、狭い食道を拡張すること、ポリープを切り取ること、など）。
【０００３】
他の医療用イメージング装置とは違って、内視鏡は、器官または体腔の中に直接挿入される。内視鏡処置の間、（ｉ）接触している器官または体腔を吸入法で治療するために、および／または、（ｉｉ）区域および／または装置の一部分（例えば、内視鏡自身の光ヘッド）を洗浄するために、空気および水が一般的に使用される。空気および水の流れは、一般的に、弁によって装置のユーザによって制御される。
【０００４】
［本発明の概要］
内視鏡を通る空気および水の流れを調節するための、上述のような弁は、患者間の交差汚染を避けるために、医療処置毎の後に、洗浄および殺菌される必要がある。このことにより、連続して処置を施すためには、手の上に複数の弁を持っておくことが必要となる。その理由は、洗浄および殺菌の工程は、完了するまでに著しい時間がかかるためである。再利用できる弁はまた、高価であり、そして、注意して操作される必要がある。
【０００５】
従って、本明細書において説明されている本発明の実施形態は、内視鏡などの医療機器を通る空気および水の流れを調節するための、使い捨て可能な弁アセンブリを提供する。本明細書において説明されている弁アセンブリの実施形態は、一度の処置における使用のために設計されており、当該処置の後に廃棄されてよい。
【０００６】
以下に説明されるように、一つの実施形態において、ハウジングおよびスプールを含む、医療機器のための弁アセンブリが提供される。上記スプールは、第１端部と、第２端部と、上記第１端部と上記第２端部との間において伸びる長軸方向の通路と、上記第１端部および上記第２端部のそれぞれの近傍に位置する、第１部分および第２部分と、を有している。上記スプールの上記第１部分は、上記ハウジングの内部に少なくとも部分的に受容されるように構成されてもよく、上記スプールの上記第２部分の外面は、複数の位置決め機構を規定してもよい。弁アセンブリはさらに、シーリング部材を含んでもよく、上記シーリング部材は、長軸方向の支持部材と、上記支持部材から周方向に伸びる複数のシーリングリングと、を有する。上記シーリングリングのそれぞれは、隣接する位置決め機構間の距離と対応する、上記支持部材の長さに沿った距離で、隣接するシーリングリングと離間してもよい。上記支持部材の内面は、上記スプールの上記外面と係合するように構成にされてもよい。さらに、上記シーリングリングのそれぞれの内側の周方向の表面が、対応する位置決め機構の近傍に位置する上記スプールの上記第２部分の上記外面と密閉して係合するように、上記シーリングリングが開口を規定してもよい。
【０００７】
複数の場合において、弁アセンブリは、バネおよび保持器をさらに含んでもよい。上記バネは、第１端部および第２端部を含んでもよく、上記スプールの上記第１部分の周囲に配置されてもよい。上記保持器は、上記スプールの上記第１端部によって受容されるように構成されてもよい。上記バネの上記第２端部は、上記ハウジングと係合するように、かつ、当該ハウジングに対して固定された状態を維持するように構成されてもよく、上記バネの上記第１端部は、上記保持器が上記ハウジングから離れるように付勢されるように、当該保持器と係合されてもよい。上記ハウジングは、上記バネの上記第２端部と係合するように構成された、少なくとも１つの半径方向の伸長部を規定してもよい。上記スプールの上記外面の少なくとも一部分は、上記シーリング部材の上記支持部材を受容するように構成された長軸方向の溝を規定してもよい。上記シーリング部材が上記スプールに係合する場合に、上記支持部材の外面が、当該スプールの上記外面に対して平坦な面を形成してもよい。さらに、上記シーリング部材は、上記スプールにオーバーモールドされてもよい。
【０００８】
複数の実施形態において、上記スプールは、上記長軸方向の通路に対して実質的に垂直であり、かつ、当該長軸方向の通路と交差する横軸方向の通路を規定してもよい。上記横軸方向の通路は、上記長軸方向の溝を通るように規定されてもよい。上記長軸方向の溝の少なくとも一部分は、少なくとも１つの位置決め機構によって規定されてもよい。さらに、上記スプールは、上記長軸方向の通路に対して実質的に垂直であり、かつ、当該長軸方向の通路と交差する横軸方向の通路を規定してもよく、上記シーリング部材の上記支持部材は、上記スプールの上記外面において規定された、上記横軸方向の通路の開口と係合するように構成された、長軸方向に伸びるリングを規定してもよい。
【０００９】
複数の場合において、上記シーリング部材は、４つのシーリングリングを備えてもよい。さらに、上記ハウジングは、内部に上記弁アセンブリが取り付けられる内視鏡と係合するように構成された長軸方向の伸長部を規定してもよい。
【００１０】
他の実施形態において、医療機器のための弁アセンブリを製造する方法が提供される。上記方法は、スプールを成形するステップを含んでもよく、上記スプールは、第１端部と、第２端部と、上記第１端部と上記第２端部との間において伸びる長軸方向の通路と上記第１端部および上記第２端部のそれぞれの近傍に位置する、上記第１部分および第２部分と、を有する。上記スプールの上記第２部分の外面は、複数の位置決め機構を規定してもよい。
【００１１】
上記方法は、上記スプールの外面にシーリング部材をオーバーモールドするステップを、さらに含んでもよい。上記シーリング部材は、長軸方向の支持部材と、上記支持部材から周方向に伸びる複数のシーリングリングと、有してもよい。上記シーリングリングのそれぞれは、隣接する位置決め機構間の距離と対応する、上記支持部材の長さに沿った距離で、隣接するシーリングリングと離間してもよい。上記支持部材の内面は、上記スプールの上記外面と係合してもよく、上記シーリングリングのそれぞれの内側の周方向の表面が、対応する位置決め機構の近傍に位置する上記スプールの上記第２部分の上記外面と密閉して係合してもよいように、上記シーリングリングが開口を規定してもよい。さらに、ハウジングは、上記スプールの上記第１部分を、少なくとも部分的に受容するように構成されるように、成形されてもよく、上記スプールの上記第１部分は、少なくとも部分的に上記ハウジングの内部に配置されてもよい。
【００１２】
複数の場合において、上記方法は、上記スプールの上記第１部分の周囲に、第１端部および第２端部を規定するバネを配置するステップと、上記スプールの上記第１端部によって受容されるように構成された保持器を設けるステップと、を含んでもよい。上記バネの上記第２端部の位置が、上記ハウジングに対して固定された状態を維持するように、当該バネの当該第２端部は、当該ハウジングと係合されてもよく、上記バネの上記第１端部は、上記保持器と係合されてもよい。上記保持器が上記ハウジングから離れるように付勢されるように、当該保持器は、上記スプールの上記第１端部に取り付けられてもよい。
【００１３】
複数の実施形態において、長軸方向の溝は、上記スプールの上記外面の少なくとも一部分において、規定されてもよく、上記長軸方向の溝は、上記シーリング部材の上記支持部材を受容するように構成される。上記スプールを成形するステップは、当該スプールを形成するための第１の型を使用するステップを含んでもよく、上記シーリング部材をオーバーモールドするステップは、上記第１の型から上記スプールを取り外すステップと、当該スプールを第２の型の内部に配置するステップとを含んでもよい。上記シーリング部材をオーバーモールドするステップは、上記第２の型において上記シーリング部材を形成するために、上記長軸方向の溝の内部にエラストマー材料を導入するステップを含んでもよい。
【００１４】
複数の場合において、複数の固定板は、上記スプールの長軸に対して垂直な向きに、配置されてもよい。上記板は、同心の穴を含んでもよく、上記シーリングリングが形成される予定である位置と対応する位置に配置されてもよい。さらに、上記スプールを成形するステップは、上記長軸方向の通路に対して実質的に垂直であり、かつ当該長軸方向の通路と交差する横軸方向の通路を規定するステップを含んでもよく、上記横軸方向の通路は、上記長軸方向の溝を通るように規定される。上記長軸方向の溝の少なくとも一部分は、少なくとも１つの位置決め機構によって規定されてもよい。付加的または代替的に、上記スプールを成形するステップは、上記長軸方向の通路に対して実質的に垂直であり、かつ、当該長軸方向の通路と交差する横軸方向の通路を規定するステップを含んでもよく、上記シーリング部材をオーバーモールドするステップは、上記スプールの上記外面において規定された、上記横軸方向の通路の開口と係合する上記支持部材において、長軸方向に伸びるリングを規定するステップを含んでもよい。
【００１５】
これらの実施形態は、本明細書において説明、または他の方法によって検討されたように、顕著な利点を提供する。
【００１６】
［図面の簡単な説明］
添付の図面を参照する。これらの図面は、必ずしも正確な縮尺率で描かれなくともよい。図面は、説明のみを目的とするものであり、本発明の範囲を限定することを意図するものではない。
【００１７】
図１は、内視鏡装置の略図を示す；
図２Ａは、非作動位置における、従来型の空気／送水弁アセンブリの断面図を示す；
図２Ｂは、作動位置における、図２Ａの空気／送水弁アセンブリの断面図を示す；
図３は、従来型の空気／送水弁アセンブリの斜視図を示す；
図４は、図３の空気／送水弁アセンブリの分解立体図を示す；
図５は、本発明の例示的な実施形態に係る空気／送水弁アセンブリの斜視図を示す；
図６は、本発明の例示的な実施形態に係る図５の空気／送水弁アセンブリの分解立体図を示す；
図７Ａは、本発明の例示的な実施形態に係るスプールの斜視図を示す；
図７Ｂは、図７Ａのスプールの断面図を示す；
図８は、本発明の例示的な実施形態に係る一体型のシーリング部材の斜視図を示す；
図９は、本発明の例示的な実施形態に係るハウジングの斜視図を示す；
図１０は、本発明の例示的な実施形態に係る医療装置の空気／送水シリンダ内部に挿入された弁アセンブリの外観を示す；
図１１は、本発明の例示的な実施形態に係る空気／送水弁アセンブリを製造するための方法のフローチャートを説明する；
図１２Ａおよび１２Ｂは、本発明の例示的な実施形態に係る空気／送水弁アセンブリを製造するための型の略図を示す。
【００１８】
［本発明の詳細な説明］
本発明の実施形態は、該当する場合には、添付の図面を参照して説明される。本発明は、多くの様々な形によって実現されてもよい。そして、本発明は、本明細書において示された実施形態に限定されると解釈されるべきではない。むしろ、これらの実施形態は、説明のみを目的として提供される。全体に亘って、同様の数字は、同様の部材を参照する。
【００１９】
弁アセンブリの実施形態、ならびに、医療機器を通る空気および水の流れを、調節するための弁アセンブリを製造するための方法は、内視鏡処置（例えば結腸内視術）を実行するための、内視鏡を背景として以下に説明される。また、本発明の実施形態は、他の医療装置（例えば、種々の異なる内視鏡および／または腹腔鏡装置）において利用されてもよいということを理解されるべきである。
【００２０】
図１には、内視鏡処置を実行するための内視鏡１０の一例（例えば胃腸内視鏡）が示されている。図示された内視鏡１０は、近位端１５を含む。当該近位端１５は、ユーザ（例えば、医師）に最も近い端部であってよい。そして、当該近位端１５は、接眼レンズを含んでもよい。当該接眼レンズを通して、ユーザは、検査されている臓器または空洞を観察することができる。また、内視鏡１０は、遠位端２０を含む。当該遠位端２０は、検査されている臓器または空洞内部の標的部位に最も近い端部であってよい。制御機器は、近位端１５と遠位端２０との間に配置された内視鏡の本体２５の上に設けられてよい。さらに、空気および水のソース（不図示）と、内視鏡１０の遠位端２０とを接続する、流体導入部３０が設けられてもよい。例えば、臓器または空洞を拡張するための、空気、ＣＯ２、または他の気体は、気体入口３２を介して内視鏡１０へ入ることが可能である。そして水は、水入口３４を介して入ることが可能である。遠位端２０へ向かう何れの流体の流れも、本体２５の制御機器とユーザの相互作用によって、調節および制御されてよい。内視鏡１０の本体２５は、内視鏡を通る空気および／または水の流れを制御するための空気／送水弁５０に加えて、胃腸管から廃液および気体を引き抜くための吸気弁４０を収容してもよい。
【００２１】
図２Ａおよび２Ｂの断面図では、空気／送水弁５０の動作が示されている。例えば、図２Ａでは弁５０の非作動位置が示されておりそして、図２Ｂでは当該弁の作動位置が示されている。図２Ａにおいて示されるように、一端においてバネ保持器８０と係合するとともに、他端において弁ハウジング５２、５４と係合するバネ７８が設けられてもよい。バネ保持器８０は、（例えば、図３において示された他の弁構成部材を介して）スプール５６に取り付けられてもよい。これにより、バネ７８は、スプール５６を、図２Ａにおいて示された非作動位置へと付勢させることができる。同時に、（図２Ｂに示されるように）ユーザによって弁５０の外端５１へ印加された作動力Ｆは、スプール５６およびその構成部材を、ハウジング５２、５４に関して、図２Ｂの作動位置へと移動させる役割を果たし得る。
【００２２】
図２Ａおよび図２Ｂに示されるように、スプール５６の少なくとも一部分は、当該スプール５６自身を通る通路５７を規定するように構成されている。スプール５６は、例えば、スプール５６の通路５７の長軸に対して垂直な方向に向かうポート５９を規定してもよい。通路５７は、ポート５９から、弁５０の外端５１における開口８５まで、伸張していてよい。
【００２３】
図２Ａを参照すると、空気９０（または他の気体）は、（図１に示された）気体入口３２から、空洞９５の内部へと流れることが可能であってもよい。空洞９５は、空気／送水シリンダ９６によって規定されている。そして、空気／送水シリンダ９６の内部では、弁５０が入口９１を介して配置されている。開口８５が空いているとき（例えば、ユーザが指を用いて開口８５を遮っていないとき）、空気９０は、空洞９５から、ポート５９を通って、そして通路５７を通って、さらに開口８５を介して、弁アセンブリの外へと流れてもよい。例えば、開口８５がユーザの指によって遮られているとき、通路５７内部の圧力は、空気９０が、（例えば、空気／送水シリンダ９６の内面から離して、スプール５６の方へシールをそらすことによって）、スプール５６の周りに配置されるリップシール７２を通過し、空洞９５の外において、軸受７０を通り越して、出口９２を介して内視鏡の遠位端２０における出口へと、強制的に向かわされる点まで、増加してもよい。同時に、（図４にも示された）シール７６は、空気を流出させないので、入口９３からの水９７の流れは、出口９４を介して空洞９５から出ることができない。
【００２４】
ユーザが、バネ７８の付勢力に逆らって力Ｆを印加して弁５０を作動させると、当該弁は、図２Ｂに示された作動位置へ移動する。作動位置において、空気が出口９２に近づくことを妨げるシール７０が、図２に示された位置へと移動した結果、空気９０は、出口９２を介して空洞９５から出ることを妨げられる。さらに、入口９３から、空気／送水シリンダ９６の出口９４までの水の通過を防いでいたシール７６もまた移動し、出口９４への水の流れのため通路を開放する。図２Ｂに示された作動位置において、シール７４は、入口９２からの水が、空洞９５における空間の内部を通過することを防ぐ。なお、入口９１から出口９２までの気流経路は、空洞９５を通じて規定されている。
【００２５】
ここで、図３および図４を参照すると、上述の従来型の再利用可能な空気／送水弁５０が、組み立てられた構成図および分解された構成図において示されている。従来型の再利用可能な弁５０は、一般的に、複数の機械加工された金属部品を含む。当該機械加工された金属部品は、複数のシールに沿っており、かつ、図２Ａおよび２Ｂを参照して上述した機能を果たすことができる弁を形成するために、ともに組み立てられる必要がある。例えば、図示されている弁（図４において分解された形状において示されている）は、ハウジング５２と、ハウジングのオーバーモールド５４と、スプール端部５８、６０およびスプールスリーブを有するスプール５６と、２つの軸受６６、６８と、４つのシール７０、７２、７４、７６と、バネ７８と、バネ保持器８０と、保持器キャップ８２と、合計１７個の個々の構成部材のための色リング８４と、を含む。これら構成部材のうち、６つの部材は、機械加工された金属構成部材である（例えば、ハウジング５２、スプール５６、スプール端部５８、６０、およびスプールスリーブ６２、６４）。多数の構成部材は、製造コストが高価となり、かつ、組み立てに労力を要する、複雑な設計をもたらす。さらに、弁５０の再利用可能な性質は、患者間の交差汚染を防ぐために、毎回の使用後に、弁が洗浄および消毒されることを必要とする。このことも、コストを増加させる。
【００２６】
従って、本発明の実施形態は、図２Ａ〜図４において上述された例のような、従来型の再利用可能な弁よりも、より少ない構成部材で構成される空気／送水弁を提供する。さらに、本発明の実施形態において、すべての構成部材は、射出成形を用いて製造することが可能である。これによって、機械加工された金属部品を不要とすることが可能である。このように、本発明の実施形態は、費用効率の高い方法によって、使い捨て可能な弁として使用される（例えば、一度だけ使用される）ことが可能である弁を提供する。
【００２７】
ここで、図５および図６を参照すると、本発明の実施形態に基づく、弁アセンブリ１００が示されている。図示された実施形態において、弁アセンブリ１００は、ハウジング１１０、スプール１２０、およびシーリング部材１３０を含む。図７Ａおよび７Ｂを参照すると、スプール１２０は、第１端部１２１、第２端部１２２、および、当該第１端部と第２端部との間において伸びる長軸方向の通路１２３を含む。スプール１２０は、第１端部１２１の近傍の第１部分１２４、および第２端部１２２の近傍の第２部分１２５をさらに含む。スプール１２０の第１部分１２４は、ハウジング１１０の内部に、少なくとも部分的に受容されるように構成されてもよい。
【００２８】
さらに、スプールの外面１２６は、複数の軸受機構１４７ａ、１４７ｂ、および／または複数の位置決め機構１２７ａ、１２７ｂ、１２７ｃ、１２７ｄを規定してもよい。図示されているように、軸受機構１４７ａ、１４７ｂ、および位置決め機構１２７ａ、１２７ｂ、１２７ｃ、１２７ｄは、スプールの直径がスプールの長軸Ｌに沿って変化する表面形状を、スプール１２０に付与してもよい。
【００２９】
軸受１４７ａ、１４７ｂは、例えば、スプール１２０の表面１２６から、半径方向において外側に、出っ張りまたは突出する、スプールの一部分を含んでもよい。これにより、当該スプールの一部分は、スプールの他の領域よりも大きい直径（例えば、隣接領域よりもより大きい直径）を有する、スプールの領域を提供できる。この点で、軸受機構１４７ａ、１４７ｂは、図４に示された従来型の弁の軸受６６、６８と類似の役割を果たすように構成されても（例えば、サイズ、形状、および／または位置が設定されても）よい。
【００３０】
位置決め機構１２７ａ、１２７ｂ、１２７ｃ、１２７ｄは、例えば、ネジ山、凹部、および／または、他の機構を含んでもよく、当該他の機構は、より詳細に以下に述べるように、シーリング部材１３０の相補的な部分を受容するように構成されている。例えば、位置決め機構１２７ａ、１２７ｂ、１２７ｃ、１２７ｄは、シーリング部材のシーリングリング１３２、１３３、１３４、１３５を形成するための材料が、位置決め機構の内部において射出成形できるように、構成されてもよい。
【００３１】
図８には、シーリング部材１３０の拡大図が示されている。シーリング部材１３０は、長軸方向支持部材１３１、および、当該支持部材１３１から周方向に伸びる複数のシーリングリングを含む。図示された実施形態において、シーリング部材１３０は、４つのシーリングリング１３２、１３３、１３４、１３５を含む。各々のシーリングリング１３２、１３３、１３４、１３５は、例えば、隣接するシーリングリングから、シーリング部材１３１の長さに沿ったある距離（隣接する位置決め機構１２７ａ、１２７ｂ、１２７ｃ、１２７ｄの間の距離と対応する距離）だけ離間していてもよい。例えば、図７Ａおよび図８を参照すると、図７Ａにおける位置決め機構１２７ａおよび１２７ｂは、図８におけるシーリングリング１３２と１３３との間の距離と対応してよい。同様に、位置決め機構１２７ｂと１２７ｃとの間の距離は、シーリングリング１３３と１３４との間の距離と対応してよい。そして、位置決め機構１２７ｃと１２７ｄとの間の距離は、シーリングリング１３４と１３５との間の距離と対応してよい。
【００３２】
従って、支持部材１３１の内面１３６は、スプール１２０の外面１２６と係合するように構成されてもよい。例えば、各々のシーリングリング１３２、１３３、１３４、および１３５は、これらの部材を通る開口を規定してもよい。これにより、各々のシーリングリングの内側の周方向の表面１３６が、対応する位置決め機構１２７ａ、１２７ｂ、１２７ｃ、１２７ｄの近傍に位置するスプール１２０の第２部分１２５の外面１２６と、密閉して係合するように構成できる。このように、シーリングリング１３２、１３３、１３４、および１３５が弁アセンブリとして組み立てられ、かつ、空気／送水シリンダ（例えば、図２Ａおよび２Ｂに示された空気／送水シリンダ９６）内部に配置されたとき、図４に示された従来型の弁のシール７０、７２、７４、７６としての役割を果たすように、シーリングリング１３２、１３３、１３４、および１３５は、構成されてもよい。従来型の弁（例えば、図２Ａおよび図２Ｂの弁５０）におけるシールと対照的に、本発明の実施形態は、射出成形された単に一体型のプラスチックからなる、シーリングリング１３２、１３３、１３４、１３５を提供する。そして、複数の実施形態において、当該射出成形されたプラスチックは、実施形態より詳細に以下に述べるように、図５に示された構成において、スプール１２０の上に直接的にオーバーモールドされる。
【００３３】
再び図６を参すると、複数の実施形態において、弁アセンブリ１００は、バネ１４０および保持器１５０をさらに含む。図６ではコイルバネが図示されているが、他の種類のバネの構造および材料が、他の実施形態において、同様の付勢力を提供するために使用されてもよい。従って、バネ１４０は、コイルバネ（金属またはプラスチック）であってもよく、スプリングウォッシャー型のバネ（金属またはプラスチック）であってもよく、または発泡体材料から成るシリンダであってもよい。
【００３４】
図５および図６に示されるように、バネ１４０は、第１端部１４１および第２端部１４２を有してもよい。また、バネ１４０は、スプール１２０の第１部分１２４の周りに配置されてもよい。同様に、保持器１５０は、バネ１４０の第１端部１４１の内部に受容されるように、かつ、スプール１２０の第１端部１２１と係合するように構成されても（例えば、サイズおよび形状が設定されても）よい。例えば、保持器１５０は、キャップ部１５１および当該キャップ部から伸びる縮径部１５２、を含んでもよい。リップ１５３は、キャップ部と縮径部１５２との間の境界面の近傍に位置するキャップ部１５１によって規定されてもよい。縮径部１５２は、バネ１４０の内側（例えば、図示された実施形態における、バネのコイルの内側）と適合するように構成されてもよい。従って、バネ１４０の第１端部１４１は、弁アセンブリが組み立てられるときに、リップ１５３と係合するように（例えば、接触するように、および／または、接触して押すように）構成されてもよい。さらに、縮径部１５２は、当該縮径部を通る開口１５４を規定してもよい。開口１５４は、スプール１２０の第１部分１２４の、少なくとも一部分を受容し、かつ、当該少なくとも一部分と係合するように、構成されてよい。例えば、スプール１２０は、スプールの第１端部１２１と、当該スプールの第１端部１２１が内部に受容される開口１５４との圧入による係合によって、保持器１５０に取り付けられてもよい。付加的または代替的に、保持器１５０の開口１５４の内部にスプール１２０の第１端部１２１を固定するために、接着剤が使用されてもよい。このような方法で、保持器１５０は、スプール１２０に対して固定されてもよい。そして、バネ１４０は、スプール１２０の第１部分１２４に対する周囲の関係によって保持されてもよい。
【００３５】
同時に、バネ１４０の第２端部１４２は、ハウジング１１０と係合し、かつ、当該ハウジング１１０に対して固定された状態を維持するように構成されてもよい。例えば、図９に示されるように、複数の実施形態において、ハウジング１１０は、ハウジングの外壁１１２から内部へ伸びる半径方向の伸長部１１１を規定してもよい。図９に示された複数の実施形態において、バネ１４０の第２端部１４２は、ハウジング１１０の半径方向の伸長部１１１の内面１１７と係合し、かつ、当該内面１１７を押圧してもよい。これにより、（例えば、図５に示された組み立て後の構成において、スプール１２０の方向に保持器１５０を押すことによって）バネ１４０に印加された作動力が、半径方向の伸長部１１１によって抵抗を受け、そして、バネ１４０が、保持器のリップ１５３とハウジングの半径方向の伸長部１１１の内面１１７との間に保持される。図５に示された非作動位置において、保持器１５０は、ハウジング１１０から離れるように付勢されてもよい。しかしながら、スプールの突出部１２７ｅとハウジング１１０の半径方向の伸長部１１１の外面１１９との係合によって、保持器１５０とスプール１２０とのアセンブリは、ハウジング１１０との係合状態が維持される。（図６、７Ａおよび９に示されている通り）。
【００３６】
従って、ハウジング１１０と係合しているバネ１４０の第２端部１４２、保持器１５０と係合しているバネの第１端部１４１、および、スプールの第１端部１２１と係合した保持器が設けられることにより、上述のように、弁アセンブリ１００が図５に示された非作動位置にあるとき、保持器１５０に印加された作動力は、図５において矢印１６０に示された方向に、スプール１２０、および、当該スプールに取り付けられたシーリング部材１３０を移動させる役割を果たす。作動力が取り除かれるとき、バネ１４０の付勢力は、スプール１２０およびシーリング部材１３０を、図５に図示された非作動位置に戻すように移動させる。従って、内視鏡内部、または、他の医療機器内部の、空気／送水シリンダ（例えば図２Ａおよび２Ｂに示されたシリンダ９６）内部のスプール１２０およびシーリング部材１３０の移動は、図２Ａおよび２Ｂに関して上述された弁５０の機能と同様に、特定の空気および水の経路を開閉させることができる。
【００３７】
再び図７Ａを参照すると、複数の実施形態において、スプール１２０の外面１２６の少なくとも一部分は、長軸方向の溝１２８を規定してもよい。当該長軸方向の溝は、図５の組み立て後の構成に示されるように、（図８に示された）シーリング部材１３０の支持部材１３１を受容するように構成されている。長軸方向の溝１２８および支持部材１３１は、例えば、シーリング部材１３１がスプーに係合しているとき、支持部材１３１の外面１３７がスプール１２０の外面１２６に対して平坦な面を形成するように、構成されてもよい。上述のように、（例えば、長軸方向の溝１２８の内部における）スプール１２０とシーリング部材１３０との強固なはめ込みは、例えば、より詳細には以下に述べるように、スプール上のシーリング部材をオーバーモールドした結果として生じたものであってもよい。しかしながら、他の場合では、シーリング部材１３０は、スプール１２０とは個別に形成されても（例えば成形されても）よい。そして、シーリング部材１３０は、当該シーリング部材１３０がスプール１２０の上で引き伸ばされて適合できるように構成されてもよい（例えば、サイズおよび材料の選択によって）。
【００３８】
図７Ｂの断面図に示されるように、複数の場合において、スプール１２０は、横軸方向の通路１２９を規定してもよい。横軸方向の通路１２９は、実質的に長軸方向の通路１２３に対して垂直であり、かつ当該長軸方向の通路と交差する。横軸方向の通路１２９は、長軸方向の通路１２３を通るように規定されてもよい。これにより、長軸方向の通路の内部へ入り、かつ、スプール１２０の第１端部１２１へと向かう空気または他の気体のための流路を提供することができる。そして、空気または他の気体は、キャップ部１５２における開口１５４を介して、外部環境へ放出されてもよい。この点に関して、横軸方向の通路は、長軸方向の溝１２８を通るように規定されてもよい。
【００３９】
さらに他の実施形態において、長軸方向の溝１２８の少なくとも一部分は、上述の少なくとも１つの位置決め機構によって規定されてもよい。例えば、図示された図７Ａの実施形態において、長軸方向の溝１２８は、軸受機構１４７ａ、１４７ｂおよび／または位置決め機構１２７ａ、１２７ｂ、１２７ｃ、１２７ｄを通るように伸びておりかつ、軸受機構１４７ａ、１４７ｂおよび／または位置決め機構１２７ａ、１２７ｂ、１２７ｃ、１２７ｄによって規定されている。さらに、複数の場合において、例えば横軸方向の通路１２９が長軸方向の溝１２８を通って規定されるとき、シーリング部材１３０の支持部材１３１は、長軸方向に伸びるリング１３８を規定してもよい。当該リングは、図５に示されるように、スプール１２０の外面１２６において規定された横軸方向の通路１２９の開口１７０とか係合するように構成されている。しかしながら、他の場合において、例えば、横軸方向の通路１２９が長軸方向の溝１２８を通るように規定されないとき（例えば、長軸方向の溝の位置を、図７Ａに示された位置から、長軸Ｌの周りに９０°回転させた場合）、シーリング部材１３０の支持部材１３１は、長軸方向に伸びるリング１３８を規定する必要はなく、かわりに、シーリング部材の一端から他端まで直線的に伸びていてもよい。
【００４０】
図９を参照すると、複数の実施形態において、図５において示されたように、ハウジング１１０は、少なくとも１つの長軸方向の伸長部１１３を規定する。長軸方向の伸長部１１３は、スプール１２０の第１部分の外面１２６および当該外面１２６の少なくとも一部分を覆うように伸びるように構成されている。図示された実施形態において、例えば、３つの長軸方向の伸長部１１３が設けられており、当該３つの長軸方向の伸長部１１３は、３つの半径方向の伸長部１１１を規定するハウジング１１０の外壁１１２の一部分と交互に配置される。長軸方向の伸長部１１３は、弁アセンブリが使用のために設置されるとき、弁アセンブリ１００を、内視鏡または他の医療装置の空気／送水シリンダに固定するように構成されても（例えば、サイズおよび形状が設定されても）よい。図１０を参照すると、例えば、空気／送水シリンダ９６は、内視鏡または医療装置の本体１８５から上方向へと延びていてもよい。そして、図５に示された弁アセンブリ１００は、当該空気／送水シリンダの内部に挿入されてもよい。弁アセンブリ１００が空気／送水シリンダ９６の内部に挿入された場合、長軸方向の伸長部１１３は、空気／送水シリンダ９６を受容してもよい。そして、弁アセンブリ１００が空気／送水シリンダの内部において、ひとたび完全に係合された状態となると、空気／送水シリンダの上端は、図９に示されたハウジング１１０の半径方向の伸長部１１１の外面１１９に支持されてもよい。従って、図１０に示されるように、一度、弁アセンブリ１００が空気／送水シリンダ９６の内部にひとたび挿入されると、長軸方向の伸長部１１３は、空気／送水シリンダ９６の外面と、とまりばめを形成してもよい。その結果、動作中に、内視鏡または他の医療機器との係合状態によって、弁アセンブリを保持することができる。
【００４１】
複数の実施形態において、スロット１１４は、ハウジング１１０の外壁１１２において規定されてもよい。スロット１１４は、弁アセンブリのハウジング１１０に、内部に弁アセンブリ１００が取り付けられる内視鏡または他の医療機器と、ポジティブロックを形成させることによって、空気／送水シリンダ９６とハウジング１１０の係合を補助するように構成されてもよい。スロット１１４は、例えば、長軸方向の伸長部１１３を、弁アセンブリの長軸から外側へ向かって（例えば、曲げることによって）動かされるように構成されたタングとして動作させてもよい。これにより、弁アセンブリが内部の動作位置へと挿入された場合、長軸方向の伸長部の内面が、空気／送水シリンダ９６の外面によって規定された係合用のねじ山を覆う位置へと導かれる。しかしながら、他の場合において、半径方向の伸長部１１１および長軸方向の伸長部１１３は、ハウジングの連続的な外壁１１２を形成してもよい。
【００４２】
複数の実施形態において、１つまたは複数の長軸方向の伸長部１１３は、それぞれの長軸方向の伸長部の外面上に、プルタブ（不図示）を含んでいてもよい。当該プルタブは、ユーザによって把持されることが可能であり、かつ、いったん弁アセンブリの使用が完了すると、長軸方向の伸長部の少なくとも１つを折るために使用されることが可能である。このようにして、弁アセンブリは、一度の使用の後に、より容易に内視鏡から取り外されることが可能となる（例えば、空気／送水シリンダへの弁アセンブリの接続状態を“解除する”ことによって）。同時に、長軸方向の伸長部を破壊することにより、更なる処置のために、別の内視鏡において当該弁アセンブリが使用されることを防止することもできる。その結果、当該弁アセンブリを、確実に使い捨ての弁アセンブリとすることができる。
【００４３】
ここで、図１１を参照すると、弁アセンブリ（例えば、上述され、かつ、図５〜図９において説明された弁アセンブリ１００）を製造する方法が示されている。当該方法の実施形態によると、スプールは、ブロック２００において成形される。上述のように、スプールは、第１端部と、第２端部と、当該第１端部と第２端部との間において伸びる長軸方向の通路と、当該第１端部および当該第２端部のそれぞれの近傍に位置する、第１部分および第２部分と、を含んでもよい。ここで、当該スプールの第２部分の外面は、複数の位置決め機構を規定する。スプールは、従来の型によって成形されてもよい。スプールを成形するための好適な材料は、例えば、ポリカーボネート（ＰＣ）、アクリロニトリルブタジエンスチレン（ＡＢＳ）、ポリプロピレン、ポリエチレン、および他の好適なポリマーを含んでもよい。
【００４４】
ブロック２１０において説明されているように、スプールは、第１の型から取り外されて、シーリング部材をオーバーモールドするための第２の型の内部に配置されてもよい。第２の型２６５の実施形態の説明は、図１２Ａおよび図１２Ｂに示されている。シーリング部材は、エラストマー材料によって製作されてもよい。そして、当該シーリング部材は、上述のように、長軸方向の支持部材、および、当該支持部材から周方向に伸びる複数のシーリングリングを含んでいてもよい。各々のシーリングリングは、支持部材の長さに沿ったある距離（スプールによって規定された隣接する位置決め機構間の距離と対応する距離）だけ、隣接するシーリングシングと離間していてもよい。これにより、支持部材の内面を、スプールの外面と係合させることができる。従って、各々のシーリングリングは、開口を規定してよい。これにより、各々のシーリングリングの内側の周方向の表面を、対応する位置決め機構の近傍に位置するスプールの第２部分の外面と密閉して係合させることができる。複数の実施形態において、同心の穴を規定する固定板は、スプールの長軸に沿って、離間して配置されてもよい。固定板２６０は、スプールの長軸に対して垂直な向きに配置されてもよい。図１２Ａに示されたように、スプール１２０の一部分は、シーリングリングが形成される予定である位置において、各々の板において規定された穴の内部に受容されていてもよい。このように、固定板によって、シーリングリングのシール接触面（例えば、外側の周方向の表面）を、分割線の形成することなく（オーバーモールド工程によって、形成することができる。なお、もし分割線が形成された場合には、漏れを引き起こす可能性がある。オーバーモールドされたシーリング部材１３０を有する完成されたスプール１２０は、その後、図１２Ｂに示されるように、固定板２６０からスプールおよびシーリング部材を取り出すことによって、図１２Ａに示される型２６５から取り外される。
【００４５】
複数の実施形態において、スプールを成形するステップは、上述のように、スプールの長軸方向の通路に対して実質的に垂直であり、かつ当該長軸方向の通路と交差する、横軸方向の通路を規定するステップを含んでいてもよい。横軸方向の通路は、複数の場合において、長軸方向の溝を通るように規定されてもよい。さらに、複数の例において、シーリング部材をオーバーモールドするステップは、スプールの外面において規定された、横軸方向の通路の開口と係合する支持部材において、長軸方向に伸びるリングを規定するステップを含んでいてもよい。
【００４６】
ブロック２２０において、ハウジングは成形されてよい。ここで、ハウジングは、スプールの第１部分を少なくとも部分的に受容するように構成されている。ハウジングは、任意の好適な材料、例えば、熱可塑性材料、またはポリエステルベースのエラストマー（例えば、ゴム、Ｖｉｔｏｎ（登録商標）材料、シリコーン、ネオプレン、ポリオレフィン、等）またはポリウレタン、によって製作されてもよい。その後、ブロック２３０において、スプールを、ハウジングと係合させてよい。スプールの第１部分は、例えば、上述のように、ハウジングの内部に少なくとも部分的に配置されてもよい。
【００４７】
複数の実施形態において、ブロック２４０において、スプールを、バネおよび保持器と係合させてもよい。そして、ブロック２５０において、ハウジングと保持器との間にバネを保持ために、保持器をスプールに取り付けてもよい。例えば、バネは、スプールの第１部分の周りに配置されてもよい。スプールの第１端部によって受容されるように構成された保持器が、設けられてもよい。そして、バネの第２端部は、ハウジングと係合されてもよい。これにより、バネの第２端部の位置が、ハウジングに対して固定されたままとなる。同様に、バネの第１端部は、保持器に係合されてもよい。そして、保持器は、スプールの第１端部に取り付けられてもよい。これにより、より詳細には上述されたように、保持器は、ハウジングから離れるように付勢される。
【００４８】
図１１のフローチャートの例における各々のブロックまたはステップ、およびブロックの組み合わせは、コンピュータプログラムの命令によって、実行されてよい。これらコンピュータプログラムの命令は、機械を生産するためのコンピュータまたは他のプログラム可能な装置にロードされてもよい。これにより、コンピュータまたは他のプログラム可能な装置において実行される命令が、フローチャートのブロックまたはステップにおいて特定された機能を実行するための手段を形成することができる。また、特定の方法で機能するように、コンピュータまたは他のプログラムに指示を与えることが可能な、これらコンピュータプログラムの命令はまた、コンピュータによって読み取り可能なメモリに保存されてもよい。これにより、コンピュータによって読み取り可能なメモリに保存された命令は、フローチャートのブロックまたはステップにおいて特定された機能を実行可能な命令手段を含む製品を生産できる。また、特に、コンピュータプログラムの命令が、コンピュータまたは他のプログラム可能な装置にロードされ、コンピュータまたは他のプログラム可能な装置において実行される一連の動作ステップ生じさせてもよい。これにより、コンピュータまたは他のプログラム可能な装置において実行される命令が、フローチャートのブロックまたはステップにおいて特定された機能を実行するためのステップを提供するように、コンピュータに実装された工程を生じさせてもよい。
【００４９】
従って、フローチャートの例におけるブロックまたはステップは、特に、特定の機能を実行するための手段の組み合わせ、特定の機能を実行するためのステップの組み合わせ、および、特定の機能を実行するためのプログラム命令手段をサポートする。フローチャートの例における各々のブロックまたはステップ、およびそれらの組み合わせは、特定の機能またはステップを実行する、特定用途のハードウェアに基づいたコンピュータシステムによって実行されてもよいし、あるいは、特定用途のハードウェアおよびコンピュータ命令の組み合わせによって実行されてもよい。
【００５０】
上述の通り、そして、添付の図面において示されたように、空気／送水弁アセンブリの実施形態は、弁アセンブリが、内視鏡または他の医療装置から取り外し可能であり、かつ、一度の処置における使用の後に処分されてもできるように、使い捨て可能であるように構成されている。従って、上述の弁アセンブリの実施形態は、多数の精密に機械加工された金属部品、または、組み立てられる必要のある多数の個別のシールを含まない。そして、当該弁アセンブリは、機械加工された部品を一体に接着させるための接着剤を必要とする（これらのことは、複雑化およびコストの増加を招き得る）こともない。その上、本発明の実施形態は、アセンブリの部品総数を５部品に減らし、さらに、既存の弁本体を有する弁アセンブリとの互換性をも可能とする。さらに、弁アセンブリの実施形態は、製造コストを最小化するために、射出成形等の大量生産プロセスを活用できる。さらに、弁アセンブリは反復使用に耐える必要がないため、要求される寿命を短くすることにより、高価な材料の使用量を低減することができる。
【００５１】
本明細書において説明された本発明の他の変更および他の実施形態は、本発明に関連する当業者によって想到されるであろう。当該当業者は、上述の説明および添付の図面における教示の利益を有している。従って、本発明は、開示された特定の実施形態に限定されず、上述の変更および他の実施形態は、添付の特許請求の範囲に含まれることが意図されていると理解されてよい。本明細書では、特定の用語が用いられているが、これらの用語は、一般的および説明的な意味のみにおいて使用されており、限定を目的としたものでない。
【００５２】
さらに、本明細書の全体に亘って、構成要素が特定の部材を有している、含んでいる、または備えているとして説明されている場合、あるいは、工程のシステムまたは方法が、特定のステップを有している、含んでいる、または備えているとして説明されている場合には、構成要素または本発明はまた、記載された部材から実質的に成っていてもよい、あるいは、本発明の工程または方法はまた、記載されたステップから実質的に成ってもよいと考慮される。さらに、ステップの順序、または特定の動作を実行する順序は、本発明が実施可能である限りは、重要でないと理解されるべきである。さらに、２つまたはさらに多くのステップまたは動作は、本明細書に開示された本発明に関しては、同時に実行されてもよい。
【図面の簡単な説明】
【００５３】
【図１】内視鏡装置の略図を示す。
【図２Ａ】非作動位置における、従来型の空気／送水弁アセンブリの断面図を示す。
【図２Ｂ】作動位置における、図２Ａの空気／送水弁アセンブリの断面図を示す。
【図３】従来型の空気／送水弁アセンブリの斜視図を示す。
【図４】図３の空気／送水弁アセンブリの分解立体図を示す。
【図５】本発明の例示的な実施形態に係る空気／送水弁アセンブリの斜視図を示す。
【図６】本発明の例示的な実施形態に係る図５の空気／送水弁アセンブリの分解立体図を示す。
【図７Ａ】本発明の例示的な実施形態に係るスプールの斜視図を示す。
【図７Ｂ】図７Ａのスプールの断面図を示す。
【図８】本発明の例示的な実施形態に係る一体型のシーリング部材の斜視図を示す。
【図９】本発明の例示的な実施形態に係るハウジングの斜視図を示す。
【図１０】本発明の例示的な実施形態に係る医療装置の空気／送水シリンダ内部に挿入された弁アセンブリの外観を示す。
【図１１】本発明の例示的な実施形態に係る空気／送水弁アセンブリを製造するための方法のフローチャートを説明する。
【図１２Ａ】本発明の例示的な実施形態に係る空気／送水弁アセンブリを製造するための型の略図を示す。
【図１２Ｂ】本発明の例示的な実施形態に係る空気／送水弁アセンブリを製造するための型の略図を示す。
【図１】
2016539695.tif 000003
【図２Ａ】
2016539695.tif 000004
【図２Ｂ】
2016539695.tif 000005
【図３】
2016539695.tif 000006
【図４】
2016539695.tif 000007
【図５】
2016539695.tif 000008
【図６】
2016539695.tif 000009
【図７Ａ】
2016539695.tif 000010
【図７Ｂ】
2016539695.tif 000011
【図８】
2016539695.tif 000012
【図９】
2016539695.tif 000013
【図１０】
2016539695.tif 000014
【図１１】
2016539695.tif 000015
【図１２Ａ】
2016539695.tif 000016
【図１２Ｂ】
2016539695.tif 000017
【国際調査報告】
2016539695.tif 000018
2016539695.tif 000019
2016539695.tif 000020